(57)【要約】【課題】利用者の利用形態に応じて自動運転される設備機器の制御システムを提供する。【解決手段】利用者が携帯するＲＦＩＤタグ１とエアコン２とから構成される。ＲＦＩＤタグ１は、利用者を識別するＩＤ情報を記憶する記憶部５と、前記ＩＤ情報を送信する送信部３と、記憶部５および送信部３に対する制御を行う制御部４とを備えている。また、エアコン２は、ＲＦＩＤタグ１からの信号を受信する受信部６と、前記ＩＤ情報とエアコンの制御情報とを関連付けて記憶するエアコン記憶部９と、受信部６により受信された利用者の前記ＩＤ情報に対して、エアコン記憶部９に予め記憶された前記ＩＤ情報と関連付けられたエアコンの制御情報に基づいて、エアコン本体８の制御を行うエアコン制御部７とを備えている。【選択図】            図１
2005004434.tif 000002
【特許請求の範囲】
【請求項１】
利用者を識別するＩＤ情報を記憶した無線タグと、前記無線タグからの信号を受信する受信手段と、前記ＩＤ情報と設備機器の制御情報とを関連付けて記憶する記憶手段と、前記受信手段により受信された利用者の前記ＩＤ情報に対して、前記記憶手段に予め記憶された前記ＩＤ情報と関連付けられた前記設備機器の制御情報に基づいて、前記設備機器の制御を行う制御手段とを備えることを特徴とする設備機器の制御システム。
【請求項２】
前記制御手段が、前記受信手段により受信された複数の前記ＩＤ情報に対して、前記記憶手段に予め記憶された前記各ＩＤ情報と関連付けられた前記設備機器の各制御情報の平均値を算出し、前記平均値に基づいて、前記設備機器の制御を行うことを特徴とする請求項１に記載の設備機器の制御システム。
【請求項３】
前記設備機器に対する手動操作が、前記ＩＤ情報と関連付けられた前記設備機器の制御情報に基づく前記設備機器の制御に優先することを特徴とする請求項１又は２に記載の設備機器の制御システム。
【請求項４】
設備機器の制御情報を記憶する無線タグと、前記無線タグからの信号を受信する受信手段と、前記受信手段により受信された設備機器の制御情報に基づいて、前記設備機器の制御を行う制御手段とを備えることを特徴とする設備機器の制御システム。
【請求項５】
前記制御手段が、前記受信手段により受信された前記設備機器の複数の制御情報の平均値を算出し、前記平均値に基づいて、前記設備機器の制御を行うことを特徴とする請求項４に記載の設備機器の制御システム。
【請求項６】
前記設備機器に対する手動操作が、前記設備機器の制御情報に基づく前記設備機器の制御に優先することを特徴とする請求項４又は５に記載の設備機器の制御システム。
【発明の詳細な説明】
【０００１】
【発明の属する技術分野】
本発明は、設備機器の制御システムに関し、特に、設備機器の遠隔制御システムに関する。
【０００２】
【従来の技術】
日常生活では様々な設備機器を使用するため、それら設備機器を起動／停止する操作は煩わしく、なかでも設備機器の停止操作については忘れがちである。そのため、特許文献１では、人体検知センサの出力により照明器具を自動的に点滅制御できる照明装置が示されている。また、特許文献２では、一つの空間だけでなく他の空間も含めて確実に制御できる無線式の照明システムが示されている。
【０００３】
【特許文献１】
特開平１０−７０７７５号公報（第３−４頁、第１図）
【特許文献２】
特開２００２−２３１４６５号公報（第６頁、第１図）
【０００４】
【発明が解決しようとする課題】
しかしながら、特許文献１において使用されている人体検知センサは、見通しの悪い場所では機能しないという問題がある。また、特許文献２において使用されている無線システムでは、きめ細かな制御ができないという問題がある。
本発明は、上述する問題点に鑑みてなされたもので、利用者の利用形態に応じて自動運転される設備機器の制御システムを提供することを目的とする。
【０００５】
【課題を解決するための手段】
上記目的を達成するため、本発明に係る設備機器の制御システムでは、利用者を識別するＩＤ情報を記憶した無線タグと、前記無線タグからの信号を受信する受信手段と、前記ＩＤ情報と設備機器の制御情報とを関連付けて記憶する記憶手段と、前記受信手段により受信された利用者の前記ＩＤ情報に対して、前記記憶手段に予め記憶された前記ＩＤ情報と関連付けられた前記設備機器の制御情報に基づいて、前記設備機器の制御を行う制御手段とを備えることを特徴とする。
ここで、前記無線タグは、ＲＦＩＤ（Ｒａｄｉｏ  Ｆｒｅｑｕｅｎｃｙ  ＩＤｅｎｔｉｆｉｃａｔｉｏｎ）タグに代表される、超小型のＩＣチップを搭載した電子荷札のことであり、内蔵するアンテナが送信する信号を専用の機器を用いて無線で読み取るものである。また、設備機器の制御情報とは、例えばエアコンを例に採れば、電源のＯＮ／ＯＦＦや温湿度、風量、風向および稼働時間などの情報のことである。
本発明によれば、利用者が携帯する無線タグから送信されるＩＤ情報を受信し、前記ＩＤ情報と関連付けられた設備機器の制御情報に基づいて、前記設備機器の制御を行うことにより、利用者の利用形態に応じて自動運転される設備機器の制御システムを実現することができる。
また、本発明に係る設備機器の制御システムでは、前記制御手段が、前記受信手段により受信された複数の前記ＩＤ情報に対して、前記記憶手段に予め記憶された前記各ＩＤ情報と関連付けられた前記設備機器の各制御情報の平均値を算出し、前記平均値に基づいて、前記設備機器の制御を行ってもよい。
ここで、前記平均値は、単純平均値や二乗平均値あるいは重み付き平均値などから利用者および／または設備機器に適したものを選択する必要がある。
本発明によれば、複数の利用者が共通の設備機器を利用する場合、前記複数の利用者の各ＩＤ情報と関連付けられた前記設備機器の各制御情報の平均値に基づいて前記設備機器の制御を行うことにより、前記複数の利用者の各利用形態を考慮して自動運転される設備機器の制御システムを実現することができる。
また、本発明に係る設備機器の制御システムでは、前記設備機器に対する手動操作が、前記ＩＤ情報と関連付けられた前記設備機器の制御情報に基づく前記設備機器の制御に優先してもよい。
本発明によれば、手動操作を優先させることにより、設備機器の利用形態に柔軟性をもたせることができる。
【０００６】
あるいは、本発明に係る設備機器の制御システムでは、設備機器の制御情報を記憶する無線タグと、前記無線タグからの信号を受信する受信手段と、前記受信手段により受信された設備機器の制御情報に基づいて、前記設備機器の制御を行う制御手段とを備えていてもよい。
本発明によれば、利用者が携帯する無線タグに設備機器の制御情報を記憶させることにより、前記ＩＤ情報と設備機器の制御情報とを関連付けて記憶する記憶手段が不要となる。
あるいは、本発明に係る設備機器の制御システムでは、前記制御手段が、前記受信手段により受信された前記設備機器の複数の制御情報の平均値を算出し、前記平均値に基づいて、前記設備機器の制御を行ってもよい。
あるいは、本発明に係る設備機器の制御システムでは、前記設備機器に対する手動操作が、前記設備機器の制御情報に基づく前記設備機器の制御に優先してもよい。
【０００７】
【発明の実施の形態】
以下、設備機器としてエアコンを例に採り、本発明の実施形態を図面を参照しつつ説明する。
図１は、本発明に係る設備機器の制御システムの第一実施形態を示したブロック図である。
この図に示すように、本実施形態による設備機器の制御システム２１は、利用者が携帯するＲＦＩＤタグ１と、室内に設置されたエアコン２とを備えている。ＲＦＩＤタグ１は、利用者を識別するＩＤ情報を記憶する記憶部５と、前記ＩＤ情報を送信する送信部３と、記憶部５および送信部３に対する制御を行う制御部４とを備えている。また、エアコン２は、ＲＦＩＤタグ１からの信号を受信する受信部６と、前記ＩＤ情報とエアコンの制御情報とを関連付けて記憶するエアコン記憶部９と、受信部６により受信された利用者の前記ＩＤ情報に対して、エアコン記憶部９に予め記憶された前記ＩＤ情報と関連付けられたエアコンの制御情報に基づいて、エアコン本体８の制御を行うエアコン制御部７とを備えている。
【０００８】
図２は、本発明に係る設備機器の制御システムの利用例を示した概念図である。
利用者ａはＲＦＩＤタグＡを携帯し、利用者ｂはＲＦＩＤタグＢを携帯している。ＲＦＩＤタグＡには利用者ａのＩＤ情報が記憶されており、ＲＦＩＤタグＢには利用者ｂのＩＤ情報が記憶されている。
図２（ａ）は、利用者ａが居室１１に在室してエアコンＸを利用し、利用者ｂが居室１２に在室してエアコンＹを利用している状況を示したものである。この場合、エアコンＸは、ＲＦＩＤタグＡから送信される利用者ａのＩＤ情報を受信し、予め記憶された利用者ａのＩＤ情報と関連付けられたエアコンの制御情報に基づいて、エアコンＸの制御を行う。また、エアコンＹは、ＲＦＩＤタグＢから送信される利用者ｂのＩＤ情報を受信し、予め記憶された利用者ｂのＩＤ情報と関連付けられたエアコンの制御情報に基づいて、エアコンＹの制御を行う。ここで、エアコンの制御情報は、電源のＯＮ／ＯＦＦや温湿度、風量、風向および稼働時間などの設定値になる。
なお、利用者ａが手動操作によりエアコンＸの設定値を変更した場合、若しくは、利用者ｂが手動操作によりエアコンＹの設定値を変更した場合は手動操作が優先する。
図２（ｂ）は、利用者ａと利用者ｂが共用部１３に在室してエアコンＺを利用している状況を示したものである。この場合、エアコンＺは、ＲＦＩＤタグＡから送信される利用者ａのＩＤ情報およびＲＦＩＤタグＢから送信される利用者ｂのＩＤ情報を受信する。これに伴い、エアコンＺは、予め記憶された利用者ａのＩＤ情報と関連付けられたエアコンの制御情報と、予め記憶された利用者ｂのＩＤ情報と関連付けられたエアコンの制御情報とを参照し、両者の平均値を算出する。そして、算出された前記平均値に基づいてエアコンＺの制御を行う。
なお、本状況においても、利用者ａ若しくは利用者ｂが手動操作によりエアコンＺの設定値を変更した場合は手動操作が優先する。
【０００９】
本実施形態による設備機器の制御システム２１では、利用者が携帯するＲＦＩＤタグから送信されるＩＤ情報を受信し、前記ＩＤ情報と関連付けられたエアコンの制御情報に基づいて、前記エアコンの制御を行うことにより、利用者の利用形態に応じて自動運転される設備機器の制御システムを実現することができる。
また、本実施形態による設備機器の制御システム２１では、複数の利用者が共通のエアコンを利用する場合、前記複数の利用者の各ＩＤ情報と関連付けられた前記エアコンの各制御情報の平均値に基づいて前記エアコンの制御を行うことにより、前記複数の利用者の各利用形態を考慮して自動運転される設備機器の制御システムを実現することができる。
さらに、本実施形態による設備機器の制御システム２１では、手動操作を優先させることにより、エアコンの利用形態に柔軟性をもたせることができる。
【００１０】
図３は、本発明に係る設備機器の制御システムの第二実施形態を示したブロック図である。なお、第一実施形態と同一の構成要素には同一の符号を用いて説明を省略する。
本実施形態による設備機器の制御システム２２においても、利用者が携帯するＲＦＩＤタグ１と、室内に設置されたエアコン２とが備わっている。ＲＦＩＤタグ１は、エアコン２の制御情報を記憶する記憶部５と、前記エアコン２の制御情報を送信する送信部３と、記憶部５および送信部３に対する制御を行う制御部４とを備えている。また、エアコン２は、ＲＦＩＤタグ１からの信号を受信する受信部６と、受信部６により受信されたエアコンの制御情報に基づいて、エアコン本体８の制御を行うエアコン制御部７とを備えている。
【００１１】
本実施形態による利用例についても図２を用いて説明する。
先ず、利用者ａが携帯するＲＦＩＤタグＡには利用者ａ用のエアコンの制御情報が記憶され、利用者ｂが携帯するＲＦＩＤタグＢには利用者ｂ用のエアコンの制御情報が記憶されている場合について説明する。
図２（ａ）の場合、エアコンＸは、ＲＦＩＤタグＡから送信される利用者ａ用のエアコンの制御情報を受信し、利用者ａ用のエアコンの制御情報に基づいて、エアコンＸの制御を行う。また、エアコンＹは、ＲＦＩＤタグＢから送信される利用者ｂ用のエアコンの制御情報を受信し、利用者ｂ用のエアコンの制御情報に基づいて、エアコンＹの制御を行う。
図２（ｂ）の場合、エアコンＺは、ＲＦＩＤタグＡから送信される利用者ａ用のエアコンの制御情報およびＲＦＩＤタグＢから送信される利用者ｂ用のエアコンの制御情報を受信する。これに伴い、エアコンＺは、利用者ａ用のエアコンの制御情報と利用者ｂ用のエアコンの制御情報の平均値を算出する。そして、算出された前記平均値に基づいてエアコンＺの制御を行う。
【００１２】
次に、利用者ａが携帯するＲＦＩＤタグＡにはエアコンＸの制御情報とエアコンＺの制御情報が記憶され、利用者ｂが携帯するＲＦＩＤタグＢにはエアコンＹの制御情報とエアコンＺの制御情報が記憶されている場合について説明する。ここで、ＲＦＩＤタグＡおよびＲＦＩＤタグＢが記憶するエアコンＺの制御情報は同一であるとする。
図２（ａ）の場合、エアコンＸは、ＲＦＩＤタグＡから送信されるエアコンＸの制御情報を受信し、エアコンＸの制御情報に基づいて、エアコンＸの制御を行う。また、エアコンＹは、ＲＦＩＤタグＢから送信されるエアコンＹの制御情報を受信し、エアコンＹの制御情報に基づいて、エアコンＹの制御を行う。
図２（ｂ）の場合、エアコンＺは、ＲＦＩＤタグＡから送信されるエアコンＺの制御情報およびＲＦＩＤタグＢから送信されるエアコンＺの制御情報を受信すが、両者は同一であるため平均値は算出されず、エアコンＺの制御情報に基づいてエアコンＺの制御を行う。
【００１３】
本実施形態による設備機器の制御システム２２では、利用者が携帯するＲＦＩＤタグにエアコンの制御情報を記憶させることにより、前記ＩＤ情報とエアコンの制御情報とを関連付けて記憶するエアコン記憶部９が不要となる。
また、本実施形態による設備機器の制御システム２２では、利用者が携帯するＲＦＩＤタグに個室用のエアコンの制御情報と共用部用のエアコンの制御情報を記憶させることにより、共用部用のエアコンについて複数の制御情報の平均値を算出する必要が無くなる。
【００１４】
なお、上記の実施形態はあくまで例示であって、本発明が対象とする設備機器はエアコンに限定されず、例えば、照明装置の点滅制御や温水器の温度調節など、利用者によって利用形態が異なる様々な設備機器に適用することができる。
【００１５】
【発明の効果】
以上説明したように、本発明によれば、利用者の利用形態に応じて自動運転される設備機器の制御システムを実現することができる。
【図面の簡単な説明】
【図１】本発明に係る設備機器の制御システムの第一実施形態を示すブロック図である。
【図２】本発明に係る設備機器の制御システムの利用例を示す概念図である。
【図３】本発明に係る設備機器の制御システムの第二実施形態を示すブロック図である。
【符号の説明】
１……ＲＦＩＤタグ
２……エアコン
３……送信部
４……制御部
５……記憶部
６……受信部
７……エアコン制御部
８……エアコン本体
９……エアコン記憶部
Ａ、Ｂ……ＲＦＩＤタグ
Ｘ、Ｙ、Ｚ……エアコン
【図１】
2005004434.tif 000003
【図２】
2005004434.tif 000004
【図３】
2005004434.tif 000005